(57)【要約】【課題】アクティブマトリクス発光ダイオードの画素構造及びその駆動方法を提供する。【解決手段】本発明は、アクティブマトリクス有機発光ダイオードディスプレイに応用し、四個のトランジスタと一つのストレージコンデンサ、及び、三つの信号ラインを利用する。第一トランジスタと第二トランジスタはP型トランジスタで、それぞれ、第一及び第二スキャンラインにより制御される。第三トランジスタと第四トランジスタは、電流ミラーを構成し、各画素中で、有機発光ダイオードを通過する電流を、データライン書き込みの電流と等しくし、これにより、各画素間の有機発光ダイオード輝度は、しきい電圧の影響を受けず、均一になる。【選択図】図３B
2006003621.tif 000002
【特許請求の範囲】
【請求項１】
アクティブマトリックス発光ダイオードの画素構造であって、
少なくとも、コンデンサと、発光素子と、
少なくとも、データライン、第一スキャンライン、第二スキャンラインを有する数本の信号ラインと、
第一トランジスタ、第二トランジスタ、第三トランジスタ、第四トランジスタからなる数個のトランジスタと、
からなり、
前記第一トランジスタのゲートは前記第一スキャンラインに接続され、前記第一トランジスタのソース、或いは、ドレインの一端は前記データラインに接続され、もう一端は前記第三トランジスタに接続され、
前記第二トランジスタのゲートは前記第二スキャンラインに接続され、前記第二トランジスタのソース、或いは、ドレインの一端は前記第三トランジスタに接続され、もう一端は前記コンデンサ、及び、前記第四トランジスタに接続され、
前記第三トランジスタのゲートは前記第二トランジスタに接続され、前記第三トランジスタのドレインは前記第一トランジスタに接続され、前記第三トランジスタのゲートとドレインは互いに接続され、
前記第四トランジスタのゲートは前記第二トランジスタと前記コンデンサに接続され、前記第四トランジスタのドレインは前記発光素子に接続されることを特徴とする画素構造。
【請求項２】
前記第三トランジスタと前記第四トランジスタは、P型トランジスタであることを特徴とする請求項１に記載の画素構造。
【請求項３】
前記発光素子は、有機発光ダイオードであることを特徴とする請求項１に記載の画素構造。
【請求項４】
前記第一スキャンラインと前記第二スキャンラインは、互いに接続されることを特徴とする請求項１に記載の画素構造。
【請求項５】
前記第一スキャンラインと前記第二スキャンラインは、互いに接続されないことを特徴とする請求項１に記載の画素構造。
【請求項６】
発光素子を駆動するための回路であって、
少なくとも、コンデンサと、
少なくとも一つの第一トランジスタ、少なくとも一つの第二トランジスタ、少なくとも一つの第三トランジスタ、少なくとも一つの第四トランジスタ、からなる複数のトランジスタと、
からなり、
前記第一トランジスタのゲートは前記第一スキャンラインに接続され、前記第一トランジスタのソース、或いは、ドレインの一端は前記データラインに接続され、もう一端は前記第三トランジスタに接続され、
前記第二トランジスタのゲートは前記第二スキャンラインに接続され、前記第二トランジスタのソース、或いは、ドレインの一端は前記第三トランジスタに接続され、もう一端は前記コンデンサ、及び、前記第四トランジスタに接続され、
前記第三トランジスタのゲートは前記第二トランジスタに接続され、前記第三トランジスタのドレインは前記第一トランジスタに接続され、前記第三トランジスタのゲートとドレインは互いに接続され、
前記第四トランジスタのゲートは前記第二トランジスタと前記コンデンサに接続され、前記第四トランジスタのドレインは前記発光素子に接続されることを特徴とする回路。  
【請求項７】
前記第三トランジスタと前記第四トランジスタは、P型トランジスタであることを特徴とする請求項６に記載の回路。
【請求項８】
第一電圧を前記第二スキャンラインに印加し、前記第二トランジスタをオンにする工程と、
第二電圧を前記第一スキャンラインに印加し、前記第一トランジスタをオンにする工程と、
を含むことを特徴とする請求項６に記載の回路の駆動方法。
【請求項９】
ディスプレイシステムであって、少なくとも、
複数のデータライン信号、及び、複数のスキャンライン信号を提供するディスプレイコントローラーと、
駆動電流を受けて発光する複数の発光ダイオードと、
前記の複数の発光ダイオードに対応し、それぞれ、前記ディスプレイコントローラー、及び、対応する発光ダイオードに接続される複数の電流ミラー回路と、
からなり、前記電流ミラー回路は、前記複数のデータライン信号中の対応するデータライン信号を受信し、前記複数のスキャンライン信号中の二つ以上の対応するスキャンライン信号も受信し、前記電流ミラー回路は、対応するデータライン信号の電流を、対応する前記発光ダイオードの駆動電流に複製して、対応する前記発光ダイオードを駆動し、前記電流ミラー回路も、二つ以上の対応するスキャンライン信号の組み合わせに従って、前記電流ミラー回路の消去モード、書き込みモード、及び、発光モードを生成することを特徴とするディスプレイシステム。
【請求項１０】
更に、
異なる時間で、対応する二つの前記スキャンラインを受信することを特徴とする請求項９に記載のディスプレイシステム。
【請求項１１】
前記電流ミラー回路は、少なくとも、複数のトランジスタ、及び、コンデンサを備え、前記トランジスタは、少なくとも、第一トランジスタ、第二トランジスタ、第三トランジスタ、第四トランジスタからなり、
前記第一トランジスタのゲートは前記第一スキャンラインに接続され、前記第一トランジスタのソース、或いは、ドレインの一端は前記データラインに接続され、もう一端は前記第三トランジスタに接続され、
前記第二トランジスタのゲートは前記第二スキャンラインに接続され、前記第二トランジスタのソース、或いは、ドレインの一端は前記第三トランジスタに接続され、もう一端は前記コンデンサ、及び、前記第四トランジスタに接続され、
前記第三トランジスタのゲートは前記第二トランジスタに接続され、前記第三トランジスタのドレインは前記第一トランジスタに接続され、前記第三トランジスタのゲートとドレインは互いに接続され、
前記第四トランジスタのゲートは前記第二トランジスタと前記コンデンサに接続され、前記第四トランジスタのドレインは前記発光素子に接続されることを特徴とする請求項９に記載のディスプレイシステム。
【発明の詳細な説明】
【技術分野】
【０００１】
本発明は、アクティブマトリクス発光ダイオードディスプレイの画素構造及びその駆動方法であって、特に、トランジスタ電圧と電子遷移率が生成する影響を補償する画素構造及びその駆動方法に関するものである。
【背景技術】
【０００２】
発光ダイオードLEDディスプレイはマトリクスディスプレイの一種で、発光ダイオードは、行（column）列（row）の配列を呈していると共に、各行、或いは、各列の発光ダイオードのアノード、或いは、カソードを接続している。図１で示されるように、一般のディスプレイ１０は、行と列に配列されたディスプレイユニット、即ち、画素２０を備える。各画素のアノード、或いは、カソードは、それぞれ、行データ生成器１２と列選択生成器１４と接続されている。操作工程中、列は、順に、列線１６を経て活性化し、配列される画素も行線１８により活性化する。現在の発光ディスプレイ技術は、駆動方式によって、パッシブ（passive）とアクティブ（active）の二種の駆動方式に分けられる。パッシブマトリクスディスプレイにおいて、各列の画素は一つずつ点灯するが、アクティブマトリクスディスプレイにおいて、各列の画素は、順に、データをロードする。つまり、パッシブマトリクスディスプレイにおいて、各列の全フレーム時間（frame  time）中、一部分がアクティブで、アクティブマトリクスディスプレイにおいて、全フレーム時間中、各列が皆アクティブに設定される。しかし、ディスプレイに対する要求は、日増しに高くなり、高解像度と大面積が必要とされる中、アクティブマトリクスディスプレイ技術が、これからのマーケットの主流となることは間違いない。
【０００３】
この他、有機発光ダイオード（organic  light  emitting  diode、OLED）ディスプレイは、発光、アングル制限無し、速い反応速度、高い光電効率で消耗電力が低い、及び、バックライトシステムとカラーフィルター構造が不要、等の長所があり、故に、２１世紀において、液晶ディスプレイのフラットパネルディスプレイ技術を代替する技術の一つとみなされている。有機発光ダイオードは電流駆動素子であり、一般の画素構造は、少なくとも、二つのトランジスタが必要である。図２は、アクティブ駆動式の有機発光ディスプレイの一般画素構造を示す図である。本画素構造１００は、スイッチングTFT１０２、駆動TFT１０４、ストレージコンデンサ１０６、及び、有機発光ダイオード素子１０８、からなる。スイッチングTFT１０２は、イメージデータをストレージコンデンサ１０６に入力するスイッチとアドレッシング用である。駆動TFT１０４は、ストレージコンデンサ１０６上の電圧値を電流に転換し、最後に、有機発光ダイオード素子１０８を駆動する。例を挙げると、ゲートライン１１２は信号を入力して、スイッチングTFT１０２をスイッチ転換し、データラインを利用して、信号を伝送し、ストレージコンデンサ１０６を充電し、駆動TFT１０４を駆動することにより、有機発光ダイオード素子１０８のオンオフを決定する。
【０００４】
有機発光ダイオード素子１０８の発光強度は、有機発光ダイオード素子１０８を通過する電流により決定され、正比例する。しかし、画素と画素間は製造工程の関係で、しきい電圧が異なる。よって、各画素構造中、ストレージコンデンサ１０６の電源電圧が等しくても、有機発光ダイオード素子１０８を通過する電流は異なり、有機発光ダイオード素子１０８の発光が均一でないという問題を有している。
【特許文献１】特開２００４−７８１６３号公報
【発明の開示】
【発明が解決しようとする課題】
【０００５】
有機発光ディスプレイ素子の発光の均一性は電流の影響を受けて不均一であるため、本発明は、四個のトランジスタと一つのストレージコンデンサ、及び、三つの信号ラインを利用し、電流ミラー（current  mirror）、或いは、電流反応器の構造を利用して、電流を電圧に反映させ、電圧を電流に反映させる。これにより、トランジスタのしきい電圧と電子遷移率の変化は、有機発光ダイオード素子を通過する電流に影響を与えない。
【課題を解決するための手段】
【０００６】
本発明の目的によると、本発明のアクティブマトリクス有機発光素子の画素構造は、コンデンサ、発光素子、データライン、第一スキャンラインと第二スキャンラインの数本の信号ライン、第一トランジスタ、第二トランジスタ、第三トランジスタ、第四トランジスタの数個のトランジスタ、からなる。第一トランジスタのゲートは第一スキャンラインに接続され、第一トランジスタのソース、或いは、ドレインの一端はデータラインに接続され、もう一端は第三トランジスタに接続される。第二トランジスタのゲートは第二スキャンラインに接続され、第二トランジスタのソース、或いは、ドレインの一端は第三トランジスタに接続され、もう一端はコンデンサ、及び、第四トランジスタに接続される。第三トランジスタのゲートは第二トランジスタに接続され、第三トランジスタのドレインは第一トランジスタに接続され、第三トランジスタのゲートとドレインは互いに接続される。第四トランジスタのゲートは第二トランジスタとコンデンサに接続され、第四トランジスタのドレインは発光素子に接続される。
【０００７】
本発明の画素構造において、第三トランジスタと第四トランジスタはP型トランジスタで、第一トランジスタと第二トランジスタはP型、或いは、N型トランジスタに限定されない。本発明の画素構造により、トランジスタしきい電圧と電子遷移率変化の発光素子に対する影響を補償し、均一な発光度を得ることが出来る。
【０００８】
本発明の実施例において、第一スキャンラインと第二スキャンラインは、互いに接続する、或いは、単独で接続することが出来る。第一スキャンラインと第二スキャンラインが単独で接続される時、有機発光ダイオードの発光効率の差異により、その発光時間を変更することができ、輝度を補償する長所がある。
【０００９】
この他、本発明の目的によると、本発明はディスプレイシステムに用いられる。このディスプレイシステムは、少なくとも、ディスプレイコントローラーとディスプレイを有する。ディスプレイコントローラーはディスプレイに接続される。
【００１０】
ディスプレイコントローラーは少なくとも一つのデータライン信号、及び、少なくとも二つのスキャンライン信号を提供する。ディスプレイはこの少なくとも一つのデータライン信号、及び、少なくとも二つのスキャンライン信号を受信して、ディスプレイ状態を制御する。
【００１１】
ディスプレイは複数の画素からなる。各画素の構造は、上述のアクティブマトリクス有機発光素子の画素構造で、第三トランジスタと第四トランジスタは電流ミラー構造をなしている。この電流ミラー構造は、発光素子に駆動電流を提供する。
【００１２】
上述の画素構造及び操作原理は、発光ダイオードに駆動電流を提供する方法に帰着する。発光ダイオードは例えば、有機発光ダイオードである。この方法は、少なくとも以下の工程からなる。まず、電流ミラー回路とコンデンサにより、画素駆動回路を形成する。続いて、第一及び第二スキャンライン、データラインを、画素駆動回路に接続する。その後、第一及び第二スキャンラインは画素駆動回路に、消去モード、書き込みモード、及び、発光モードの三種を有させる。
【発明の効果】
【００１３】
第一スキャンラインと第二スキャンラインの高電位、低電位の制御を利用し、実際の需要に基づいて、任意に、消去モード、書き込みモード、及び、発光モードの時間を調整することで、赤（R）、緑（G）、青（B）の発光効率の違いにより輝度が不均一になる問題を補償する。
【００１４】
もう一つの長所は、電流ミラー構造により、安定した発光ダイオード駆動電流を複製し、製造工程の条件の違いで駆動電流が不安定になるのを回避することである。
【発明を実施するための最良の形態】
【００１５】
図３Aは本発明の好ましい実施例を示す図である。ディスプレイシステム３０１中、ディスプレイコントローラー３２２とディスプレイ３２８に分けられる。ディスプレイコントローラー３２２はディスプレイ３２８に接続される。
【００１６】
ディスプレイコントローラー３２２は少なくとも一つのデータライン信号３２４、及び、少なくとも一つのスキャンライン信号３２６を提供する。ディスプレイ３２８はこの少なくとも一つのデータライン信号３２４、及び、少なくとも一つのスキャンライン信号３２６を受信して、ディスプレイ状態を制御する。
【００１７】
ディスプレイ３２８は複数の画素からなる。本実施例は、アクティブマトリクス有機発光素子の画素構造を画素構造３００とする。
【００１８】
図３Bは、本実施例のアクティブマトリクス有機発光素子の単一画素構造を示す図である。実施例中、本発明の画素構造は、薄膜トランジスタと有機発光ダイオード素子を使用しているが、その他の形式のトランジスタと発光ダイオードにおいても、発光が不均一である欠点を有するディスプレイ素子は、本発明を応用して改善することが出来る。
【００１９】
図３Bを参照すると、本発明の画素構造３００は、画素駆動回路３３０からなり、画素駆動回路３３０は、それぞれ、第一スキャンライン３１６、第二スキャンライン３１８、データライン３１４、有機発光ダイオード３１２を接続する。図３Aと図３Bを参照すると、第一スキャンライン３１６、第二スキャンライン３１８は、スキャンライン３２６の一部分で、データライン３１４はデータライン３２４の一部分である。
【００２０】
この画素駆動回路３３０は、第一スキャンライン３１６、第二スキャンライン３１８の電圧により、データライン３１４の電流IdataをIOLEDに複製する。Idataは有機発光ダイオード３１２を駆動して発光させる。
【００２１】
画素駆動回路３３０は、電流ミラー構造を有する。この電流ミラー構造は、電流IdataをIdataに複製する。以下の実施例では、電流ミラー構造の範例とする。類似の構造を有する電流ミラー構造は、本発明の修正により、この画素駆動回路に応用することが出来る。
【００２２】
図３Bを参照すると、本発明の画素構造３００は、第一トランジスタ３０２、第二トランジスタ３０４、第三トランジスタ３０６、第四トランジスタ３０８の四つのトランジスタ、有機発光ダイオード３１２、及び、データライン３１４、第一スキャンライン３１６、第二スキャンライン３１８の三本の信号ライン、からなる。第一トランジスタ３０２はスイッチトランジスタで、P型、或いは、N型で、第一スキャンライン３１６により制御され、一端はデータライン３１４に接続され、もう一端は第二トランジスタ３０４、第三トランジスタ３０６に接続される。第二トランジスタ３０４はスイッチトランジスタで、P型、或いは、N型で、第二スキャンライン３１８により制御され、一端はコンデンサ３１０、及び、第四トランジスタ３０８に接続され、もう一端は第三トランジスタ３０６、及び、第一トランジスタ３０２に接続される。第三トランジスタ３０６は、本発明の実施例において、P型トランジスタで、ゲート（G）とドレイン（D）は第二トランジスタ３０４と第一トランジスタ３０２と接続され、もう一端はVddに接続される。第四トランジスタ３０８は、本発明の実施例において、P型トランジスタで、ゲート（G）と第二トランジスタ３０４、及び、コンデンサ３１０が接続され、ドレイン（D）は有機発光ダイオード３１２と接続され、ソースはVddに接続される。この他、コンデンサは、一端が第二トランジスタ３０４、第四トランジスタ３０８に接続される以外に、もう一端がVddに接続される。
【００２３】
操作工程において、第一トランジスタ３０２と第二トランジスタ３０４は、それぞれ、第一スキャンライン３１６と第二スキャンライン３１８により制御されるので、第一スキャンライン３１６と第二スキャンライン３１８が共に高電位にある時、第一トランジスタ３０２と第二トランジスタ３０４は、オンの状態の時、データを書き込む。よって、データラインドライバ３２０は、データライン３１４から一定電流Idataを出力し、第三トランジスタ３０６も電流を生成すると共に、データラインドライバ３２０の方向に流れる。データライン３１４は多くの画素を接続するが、この時、画素構造３００の第一スキャンライン３１６と第二スキャンライン３１８のみにより駆動され、第一トランジスタ３０２と第二トランジスタ３０４をオンの状態にする他、データライン３１４上のその他の画素構造は駆動されない。よって、データライン３１４はフローティング（floating）とみなされ、第三トランジスタ３０６を通過する電流は電流Idataと同じ大きさである。
【００２４】
この他、第三トランジスタ３０６と第四トランジスタ３０８は電流ミラー構造とみなされるので、第三トランジスタ３０６と第四トランジスタ３０８のW／L、及び、しきい電圧Vthが一致する時、第四トランジスタ３０８を流れる電流も電流Idataと同じ大きさである。
【００２５】
図４は、電流ミラーを示す図である。図４を参照すると、電流ミラー構造において、第三トランジスタ３０６がI1電流を出力する時、第四トランジスタ３０８の出力電流I2 はI1電流と同じである。
【００２６】
第一スキャンライン３１６が高電位で、第二スキャンライン３１８が低電位である時、画素構造３００は発光モードで、この時、有機発光ダイオード３１２は発光状態である。第一スキャンライン３１６が低電位で、第二スキャンライン３１８が高電位である時、画素構造３００はデータ消去モードで、この時、コンデンサ３１０はデータ消去状態である。第一スキャンライン３１６と第二スキャンライン３１８が共に低電位である時、第一トランジスタ３０２と第二トランジスタ３０４は共にオフ状態で、コンデンサ３１０は第三トランジスタ３０６の電流Idata値に反応し、電圧値を保存する。第四トランジスタ３０８はコンデンサ３１０の電圧値を電流値に転換し、有機発光ダイオード３１２を駆動する。図３中の各画素中のコンデンサ３１０が保存する電圧値は、電源電圧、或いは、しきい電圧の差異で異なるが、電流ミラーの関係で、第四トランジスタ３０８が転換出力する電流は同じで、これにより、各画素間のコンデンサの電源電圧、或いは、しきい電圧は異なり、有機発光ダイオードを通過する電流Iは、データラインの書き込み電流Idataと等しくなる。例を挙げると、X値の電流を各画素構造中に書き込み、各画素構造のコンデンサ保存値は、Y1、Y2、Y3になる。しかし、有機発光ダイオードを出力し通過する電流は同様にX値であるため、パネル全体は均一な発光強度を得ることが出来る。
【００２７】
本発明と公知の画素構造の違いは、公知の画素構造は電圧駆動によりグレイレベルを切り換え、本発明は電流駆動によりグレイレベルを切り換え、電流ミラー構造のため、各画素中、有機発光ダイオードを通過する電流とデータラインの書き込み電流は同じで、各画素中、有機発光ダイオードの通過電流も、よって、同じで、各画素間のしきい電圧と電子遷移率変化の差異は、発光強度に影響しない。
【００２８】
図５は、本発明の画素構造の信号制御のタイミング図である。図５を参照すると、本発明の画素構造中の第二スキャンラインは第一スキャンラインより早くオンになり、即ち、図３中の第二トランジスタ３０４は、第一トランジスタ３０２より早くオンになる。この工程はデータ消去工程である。図３を参照すると、第一トランジスタ３０２がオフ状態で、第二トランジスタ３０４がオン状態である時、電流は第三トランジスタ３０６から第二トランジスタ３０４とコンデンサ３１０の方向に移動し、コンデンサ３１０のデータを消去する。
【００２９】
図５及び図３Bを参照すると、第一スキャンライン３１６と第二スキャンライン３１８が共に高電位にある時、第一トランジスタ３０２と第二トランジスタ３０４は、オンの状態の時、データを書き込む。よって、データラインドライバ３２０は、データライン３１４から一定電流Idataを出力し、第三トランジスタ３０６も電流を生成し、第三トランジスタ３０６と第四トランジスタ３０８は電流ミラー構造とみなされるので、よって、第三トランジスタ３０６と第四トランジスタ３０８のW／L、及び、しきい電圧Vthが一致する時、第四トランジスタ３０８を流れる電流IOLEDも電流Idataと同じ大きさである。電流IOLEDは有機発光ダイオード３１２を駆動し、有機発光ダイオード３１２を発光状態にする。
【００３０】
図５及び図３Bを参照すると、第一スキャンライン３１６と第二スキャンライン３１８が共に低電位にある時、第一トランジスタ３０２と第二トランジスタ３０４は、オフの状態の時、コンデンサ３１０は第三トランジスタ３０６の電流Idata値に反応し、電圧値を保存する。第四トランジスタ３０８はコンデンサ３１０の電圧値を電流値に転換し、有機発光ダイオード３１２を駆動する。
【００３１】
図５を参照すると、上述の消去、書き込み、発光の工程を繰り返す。
【００３２】
本発明の特徴は、画素構造中、電流ミラーを有し、これにより、有機発光ダイオードを通過する電流は、コンデンサ、或いは、トランジスタの電源電圧、及び、しきい電圧の違いの影響を受けず、各画素の有機発光ダイオードに均一な発光強度を備えさせることである。
【００３３】
第一スキャンラインと第二スキャンラインが接続されるが、第一スキャンラインと第二スキャンラインが単独で接続される場合でも、赤（R）、緑（G）、青（B）の有機発光ダイオードの発光効率が異なる欠点を改善する。
【００３４】
例を挙げると、赤（R）、緑（G）、青（B）の有機発光ダイオードにおいて、その発光効率は、緑がよく、赤が悪い。緑の有機発光ダイオードの画素構造中、第二スキャンラインは、データ書き込みとデータ消去の間の発光時間を短く制御し、又は、赤の有機発光ダイオードの画素構造中、第二スキャンラインは、データ書き込みとデータ消去の間の発光時間を長く制御し、これにより、異なる駆動発光時間を利用して補償とし、赤（R）、緑（G）、青（B）の有機発光ダイオードが同一のフレーム時間中、均一な輝度を有する。
【００３５】
上述の画素構造及び操作原理は、発光ダイオードに駆動電流を提供する方法に帰着する。発光ダイオードは例えば、有機発光ダイオードである。
【００３６】
図６は、本方法を示すフローチャートである。この方法は、少なくとも以下の工程からなる。まず、電流ミラー回路とコンデンサにより、画素駆動回路を形成する（工程６０４）。電流ミラー回路とコンデンサの構成素子、及び、接続方法はここに詳述しない。
【００３７】
続いて、第一及び第二スキャンライン、データラインを、画素駆動回路に接続する（工程６０６）。
【００３８】
その後、第一及び第二スキャンラインにより、画素駆動回路に、消去モード、書き込みモード、及び、発光モードの三種を有させる（工程６０８）。
【００３９】
図３B、図５、及び、図６を参照すると、第一スキャンラインが低電位で、第二スキャンラインが高電位である時、画素構造は消去モードで、この時、コンデンサはデータ消去状態である。
【００４０】
第一スキャンラインと第二スキャンラインが共に高電位にある時、画素構造は書き込みモードである。この時、データライン上の電流Idataを発光ダイオードの駆動電流に複製する。
【００４１】
第一スキャンラインが高電位で、第二スキャンラインが低電位である時、画素構造は発光モードで、この時、有機発光ダイオードは発光状態である。
【００４２】
上述の方法の長所は、第一スキャンラインと第二スキャンラインの高電位、低電位の制御を利用し、実際の需要に基づいて、任意に、消去モード、書き込みモード、及び、発光モードの時間を調整することである。このようにして、赤（R）、緑（G）、青（B）の発光効率の違いにより輝度が不均一になる問題を補償する。
【００４３】
もう一つの長所は、電流ミラー構造により、安定した発光ダイオード駆動電流を複製し、製造工程の条件の違いで駆動電流が不安定になるのを回避することである。
【００４４】
本発明では好ましい実施例を前述の通り開示したが、これらは決して本発明を限定するものではなく、当該技術を熟知する者なら誰でも、本発明の思想と領域を脱しない範囲内で各種の改良又は変形を加えることができ、従って本発明明の保護範囲は、特許請求の範囲で指定した内容を基準とする。
【図面の簡単な説明】
【００４５】
【図１】マトリクスディスプレイの界面の部分ブロックを示す図である。
【図２】アクティブ駆動式の有機発光ディスプレイの一般画素構造を示す図である。
【図３Ａ】本発明の好ましい実施例を示す図である。
【図３Ｂ】本実施例のアクティブマトリクス有機発光素子の画素構造の単一画素構造を示す図である。
【図４】電流ミラーを示す図である。
【図５】本発明の画素構造の信号制御のタイミング図である。
【図６】本方法を示すフローチャートである。
【符号の説明】
【００４６】
１０…ディスプレイ
１２…行データ生成器
１４…列選択生成器
１６、１６ａ、１６ｂ…列線
１８、１８ａ、１８ｂ…行線
２０…画素
１００…画素構造
１０２…スイッチングTFT
１０４…駆動TFT
１０６…ストレージコンデンサ
１０８…有機発光ダイオード素子
３００…画素構造
３０１…ディスプレイシステム
３０２、３０４、３０６、３０８…トランジスタ
３１０…コンデンサ
３１２…有機発光ダイオード
３１４…データライン
３１６…第一スキャンライン
３１８…第二スキャンライン
３２０…データラインドライバ
３２２…ディスプレイコントローラー
３２６…ディスプレイスキャンライン信号
３２８…ディスプレイ
３３０…画素駆動回路
【図１】
2006003621.tif 000003
【図２】
2006003621.tif 000004
【図３Ａ】
2006003621.tif 000005
【図３Ｂ】
2006003621.tif 000006
【図４】
2006003621.tif 000007
【図５】
2006003621.tif 000008
【図６】
2006003621.tif 000009